(57)【要約】【課題】アダプター１０と混注部材２０の液体流路ＬＰの開閉操作のメリハリ（区別）を明瞭にすることができる接続部材（１、１´、１´´）を提供すること。【解決手段】接続アダプタ１０と接続カバー（５、５´、５´´）を有する。接続アダプタ（１０、１０´）は中間部１２の末端ＤＥ側の側部Ｓの二方向に、一対の係止部（１２Ｋ、１２Ｋ´）を突設している。接続カバー（５、５´、５´´）は上部５Ｕ内壁の上部側から下部側に亘って、側部Ｓの二方向に一対の上部通路５ＰＵを形成し、上部５Ｕ内壁の下部Ｄ側に、側部Ｓの二方向に一対の係合部（５ＴＤ、５ＵＭＤ）を形成している。アダプター（１０、１０´）の係止部（１２Ｋ、１２Ｋ´）を、接続カバー（５、５´、５´´）の上部通路５ＰＵから差し込み、側部Ｓの二方向から他の側部Ｓの二方向へ略９０°回動させ、係合部（５ＴＤ、５ＵＭＤ）を係止部（１２Ｋ、１２Ｋ´）に係合して固定する。【選択図】図１
2015157062.tif 000002
【特許請求の範囲】
【請求項１】
少なくとも接続アダプタ（１０、１０´）と接続カバー（５、５´、５´´）を有し、
前記接続アダプタ（１０、１０´）は、末端部（１１）と中間部（１２）と接続部（１３）とを有し、
前記接続カバー（５、５´、５´´）は、上部（５Ｕ）と下部（５Ｄ）とを有し、
前記接続アダプタ（１０、１０´）の中間部（１２）は、末端（ＤＥ）側の側部（Ｓ）の二方向に、一対の係止部（１２Ｋ、１２Ｋ´）を突設し、
前記接続カバー（５、５´、５´´）の上部（５Ｕ）は、内壁の上部側から下部側に亘って、側部（Ｓ）の二方向に一対の上部通路（５ＰＵ）を形成し、内壁の下部（Ｄ）側に段部（５ＵＤ）を形成し、
内壁の下部（Ｄ）側に、側部（Ｓ）の二方向に一対の係合部（５ＴＤ、５ＵＭＤ）を形成し、
前記接続アダプタ（１０、１０´）の中間部（１２）の一対の係止部（１２Ｋ、１２Ｋ´）と、
前記接続カバー（５、５´、５´´）の上部（５Ｕ）の一対の上部通路（５ＰＵ）を、側部（Ｓ）の二方向の位置にあわせて接続状態とし、
前記一対の係止部（１２Ｋ、１２Ｋ´）を、前記側部（Ｓ）の二方向の位置から他の側部（Ｓ）の二方向の位置へ略９０°回転させることにより、
前記係止部（１２Ｋ、１２Ｋ´）を前記係合部（５ＴＤ、５ＵＭＤ）に係合して固定状態とすることができる、ことを特徴とする接続器具（１、１´、１´´）。
【請求項２】
接続アダプタ（１０）は、請求項１に記載の係合部（１２Ｋ）は、上部係止部（１２ＫＵ）と下部係止部（１２ＫＤ）とを有し、前記上部係止部（１２ＫＵ）と前記下部係止部（１２ＫＤ）との間に段部（１２Ｄ）を形成し、
前記上部係止部（１２ＫＵ）の上部（Ｕ）側に溝（１２ＫＭ）を形成し、
接続カバー（５、５´）は、請求項１に記載の係合部（５ＴＤ）として、内壁の下部（Ｄ）側で、側部（Ｓ）の二方向に一対の下部突起（５ＴＤ）を形成し、
前記接続アダプタ（１０）の係止部（１２Ｋ）の段部（１２Ｄ）を、前記接続カバー（５、５´）の上部突起（５ＴＵ）に係合して接続状態とし、
前記上部係止部（１２ＫＵ）の溝（１２ＫＭ）を、前記下部突起（５ＴＤ）に係合し、前記接続アダプタ（１０）の上部係止部（１２ＫＵ）の上部（Ｕ）側を、前記接続カバー（５、５´）の段部（５ＵＤ）に係合して固定状態とすることができる、ことを特徴とする請求項１に記載の接続器具（１、１´）。
【請求項３】
接続アダプタ（１０´）は、請求項１に記載の係合部（１２Ｋ´）は、略突状の形態を有し、中間部（１２）の末端（ＤＥ）側に、鍔部（１２Ｔ）を形成し、
接続カバー（５´´）は、請求項１に記載の係合部（５ＵＭＤ）として、内壁の下部（Ｄ）側で、側部（Ｓ）の二方向に一対の小溝部（５ＵＭＤ）を形成し、
前記鍔部（１２Ｔ）を前記接続カバー（５´´）の上部突起（５ＴＵ）に係合して接続状態とし、
前記係合部（１２Ｋ´）を、前記小溝部（５ＵＭＤ）に係合して固定状態とすることができる、ことを特徴とする請求項１に記載の接続器具（１´´）。
【請求項４】
接続アダプタ（１０´）は、接続部（１３）の側部（Ｓ）の二方向に下部突起部（１３ＴＤ）を形成し、
接続カバー（５´´）は、上部（５Ｕ）の側部（Ｓ）の二方向に上側部突起（５ＵＳＴ）を形成し、
側部（Ｓ）の二方向から見て、前記下部突起部（１３ＴＤ）と前記上側部突起（５ＵＳＴ）の位置が重なる位置を、第三状態として目視で確認することができ、または
前記下部突起部（１３ＴＤ）の側部（Ｓ）の二方向の長さを、前記上側部突起（５ＵＳＴ）の側部（Ｓ）の二方向の長さよりも若干大きく形成して、第三状態の時に、前記下部突起部（１３ＴＤ）の側部（Ｓ）を、前記上側部突起（５ＵＳＴ）の側部（Ｓ）で固定することができる、ことを特徴とする請求項１または請求項３に記載の接続器具（１´´）。
【請求項５】
前記接続アダプタ（１０、１０´）と前記接続カバー（５、５´、５´´）に加えて、混注部材（２０）を有し、
前記混注部材（２０）は、少なくともポート（２１）とチューブ接続部（２２）とを有し、
前記ポート（２１）は、内部に栓体（３０）を収納し、
前記ポート（２１）は、外周に接続部（２１Ｓ）を形成し、
前記接続カバー（５、５´、５´´）の下部（５Ｄ）は、内周に接続部（５Ｓ）を形成し、
前記接続カバー（５、５´、５´´）を前記ポート（２１）に装着できるように形成した、
ことを特徴とする請求項１から請求項４のいずれか１項に記載の接続器具（１、１´、１´´）。
【請求項６】
前記混注部材（２０）は、ポート（２１）と本体（２０Ｈ）との間で、側部（Ｓ）の二方向に一対の突起（２１Ｔ）を形成し、
前記接続カバー（５´）は、側部（Ｓ）の二方向に側部開口（５ＯＳ）を形成し、他の側部（Ｓ）の二方向に一対の側壁（５ＳＷ）を有し、
前記一対の側壁（５ＳＷ）の下部（Ｄ）に、一対の溝（５ＭＤ）を形成し、
前記一対の突起（２１Ｔ）を、前記一対の溝（５ＭＤ）に係合することにより
前記接続カバー（５´）を前記ポート（２１）に装着できるように形成した、ことを特徴とする請求項１、２、５項のいずれか１項に記載の接続器具（１´）。
【請求項７】
接続カバー（５´´）は、側部（Ｓ）の二方向に側壁（５ＳＷ）を有し、当該側壁（５ＳＷ）は、下部（Ｄ）側に混注部材（２０）の係止部（５ＳＷＴ）を形成した、ことを特徴とする請求項１、３、５項のいずれか１項に記載の接続器具（１´´）。
【請求項８】
接続カバー（５´´）は、側部（Ｓ）の二方向に側壁（５ＳＷ）を有し、当該側壁（５ＳＷ）は、下部（Ｄ）側に混注部材（２０）のチューブ接続部（２２）の上部（Ｕ）に当接する溝（５ＭＤＲ）を形成した、ことを特徴とする請求項１、３、５、７項のいずれか１項に記載の接続器具（１´´）。
【発明の詳細な説明】
【技術分野】
【０００１】
本発明は、薬液等を注入する接続器具の改良に関するもので、接続アダプタを確実に混注部材のポートに接続・固定できる接続器具に関する。
本発明の接続器具は、血液回路、薬液容器、輸血・輸液セット等の医療用具に使用される。
【背景技術】
【０００２】
特許文献１には、基端部に外部を遮断するゴム状弾性体が取り付けられた薬液流入口を有する混注部と、内腔内にゴム状弾性体〈１６〉に穿刺される針部を有し、内腔内に混注部の基端部が着脱可能かつ摺動および回動可能に接続されるコネクター〈１〉とを備えている接続器具の発明が記載されている。（特許文献１に記載の符号は〈  〉を付けた。）
混注部の基端部の外壁に突起部〈１８〉を設けるとともに、コネクターの外周部に、突起部〈１８〉が係止される少なくとも２個の係止孔〈５ｂ、５ｃ〉を有し、先端部が開口された係合部〈５〉を設け、突起部の係止孔への係止位置により、針部の先端部のゴム状弾性体への挿入深さを少なくとも２段階に設定できるようにしている。
当該接続器具は、コネクター〈１〉を混注部に深く接続させたときに、コネクターの針部の先端部が混注部のゴム状弾性体を貫通して混注部の内腔内に位置し、コネクターを混注部に浅く接続させたときに、コネクターの針部の先端部が混注部のゴム状弾性体内に位置して針部の先端部をゴム状弾性体により閉塞するようにした接続器具である。
コネクターの係合部〈５〉を、針部の挿入方向とほぼ平行で先端部が開口されたほぼＩ字状の溝部〈５ａ、１０ａ、２０ａ、３０ａ〉と、溝部の基端部に溝部と直交する方向に設けられた第１の係止孔〈５ｂ、１０ｂ、２０ｂ、３０ｂ〉と、溝部のほぼ中間部に溝部と直交しかつ前記第１の係止孔と同方向または反対方向に設けた第２の係止孔〈５ｃ、１０ｃ、２０ｃ、３０ｃ〉とにより構成した接続器具である。
【０００３】
特許文献２には、ロック式ニードルレス混注管からなる接続器具の発明が記載されている。（特許文献２に記載の符号は〈  〉を付けた。）
当該接続器具は、閉塞孔を備えた弁〈２〉と、弁を押さえる内筒〈３〉を内在する側管〈１２〉を有するＴ字管〈１〉からなる。
側管〈１２〉は本体キャップ〈４〉を有し、キャップの中心にコネクター挿入孔〈８〉が設けられている。挿入孔〈８〉を通じて側管〈１２〉にニードルレスシリンジを接続するコネクター〈５〉を有する。
コネクター〈５〉のシリンジ接続部〈５４〉の外壁の下端に相対する突起〈５１、５２、５３〉と、内筒〈３〉の内壁には、突起〈５１、５２、５３〉と係合されて、コネクターが上下に移動する誘導溝〈３３〉が垂直に設けられている。
さらに誘導溝と連結し、突起が係合されて、コネクターが水平に回転する上部〈３４ａ、３４ｂ〉及び下部〈３５〉のロック溝が水平に設けられている。
コネクターは、下動時にコネクターの先端に有する穿刺突起〈５３〉が弁を突き刺す。
【先行技術文献】
【特許文献】
【０００４】
【特許文献１】特許第４０７５９７２号公報（特許請求の範囲、図面）
【特許文献２】特許第３７６１８５４号公報（特許請求の範囲、図面）
【発明の概要】
【発明が解決しようとする課題】
【０００５】
特許文献１に記載の発明は、フード部〈２〉に（貫通した）Ｉ字状の溝部〈５ａ〉を形成し、Ｉ字状の溝部〈５ａ〉に、第１の係止孔〈５ｂ〉と第２の係止孔〈５ｃ〉を連続して形成し、第１の係止孔〈５ｂ〉と第２の係止孔〈５ｃ〉が近接し、直線状に配列されているので、開閉操作のメリハリ（区別）がつけにくいという課題があった。
【０００６】
特許文献２に記載の発明は、側管〈１２〉と本体キャップ〈４〉で囲まれる空間内に、内筒〈３〉を配置し、内筒〈３〉でコネクタ〈５〉のロック（固定）を制御するようにしているので、構成部品の増加、形状構造の複雑化、成形精度の難化、コストアップを招くという課題があった。
そこで、本発明者は以上の課題を解決するために鋭意検討を重ねた結果、次の発明に到達した。
【課題を解決するための手段】
【０００７】
［１］本発明は、少なくとも接続アダプタ（１０、１０´）と接続カバー（５、５´、５´´）を有し、
前記接続アダプタ（１０、１０´）は、末端部（１１）と中間部（１２）と接続部（１３）とを有し、
前記接続カバー（５、５´、５´´）は、上部（５Ｕ）と下部（５Ｄ）とを有し、
前記接続アダプタ（１０、１０´）の中間部（１２）は、末端（ＤＥ）側の側部（Ｓ）の二方向に、一対の係止部（１２Ｋ、１２Ｋ´）を突設し、
前記接続カバー（５、５´、５´´）の上部（５Ｕ）は、内壁の上部側から下部側に亘って、側部（Ｓ）の二方向に一対の上部通路（５ＰＵ）を形成し、内壁の下部（Ｄ）側に段部（５ＵＤ）を形成し、
内壁の下部（Ｄ）側に、側部（Ｓ）の二方向に一対の係合部（５ＴＤ、５ＵＭＤ）を形成し、
前記接続アダプタ（１０、１０´）の中間部（１２）の一対の係止部（１２Ｋ、１２Ｋ´）と、
前記接続カバー（５、５´、５´´）の上部（５Ｕ）の一対の上部通路（５ＰＵ）を、側部（Ｓ）の二方向の位置にあわせて接続状態とし、
前記一対の係止部（１２Ｋ、１２Ｋ´）を、前記側部（Ｓ）の二方向の位置から他の側部（Ｓ）の二方向の位置へ略９０°回転させることにより、
前記係止部（１２Ｋ、１２Ｋ´）を前記係合部（５ＴＤ、５ＵＭＤ）に係合して固定状態とすることができる接続器具（１、１´、１´´）を提供する。
【０００８】
［２］本発明は、接続アダプタ（１０）は、［１］に記載の係合部（１２Ｋ）は、上部係止部（１２ＫＵ）と下部係止部（１２ＫＤ）とを有し、前記上部係止部（１２ＫＵ）と前記下部係止部（１２ＫＤ）との間に段部（１２Ｄ）を形成し、
前記上部係止部（１２ＫＵ）の上部（Ｕ）側に溝（１２ＫＭ）を形成し、
接続カバー（５、５´）は、［１］に記載の係合部（５ＴＤ）として、内壁の下部（Ｄ）側で、側部（Ｓ）の二方向に一対の下部突起（５ＴＤ）を形成し、
前記接続アダプタ（１０）の係止部（１２Ｋ）の段部（１２Ｄ）を、前記接続カバー（５、５´）の上部突起（５ＴＵ）に係合して接続状態とし、
前記上部係止部（１２ＫＵ）の溝（１２ＫＭ）を、前記下部突起（５ＴＤ）に係合し、前記接続アダプタ（１０）の上部係止部（１２ＫＵ）の上部（Ｕ）側を、前記接続カバー（５、５´）の段部（５ＵＤ）に係合して固定状態とすることができる［１］に記載の接続器具（１、１´）を提供する。
［３］本発明は、接続アダプタ（１０´）は、［１］に記載の係合部（１２Ｋ´）は、略突状の形態を有し、中間部（１２）の末端（ＤＥ）側に、鍔部（１２Ｔ）を形成し、
接続カバー（５´´）は、［１］に記載の係合部（５ＵＭＤ）として、内壁の下部（Ｄ）側で、側部（Ｓ）の二方向に一対の小溝部（５ＵＭＤ）を形成し、
前記鍔部（１２Ｔ）を前記接続カバー（５´´）の上部突起（５ＴＵ）に係合して接続状態とし、
前記係合部（１２Ｋ´）を、前記小溝部（５ＵＭＤ）に係合して固定状態とすることができる［１］に記載の接続器具（１´´）を提供する。
［４］本発明は、接続アダプタ（１０´）は、接続部（１３）の側部（Ｓ）の二方向に下部突起部（１３ＴＤ）を形成し、
接続カバー（５´´）は、上部（５Ｕ）の側部（Ｓ）の二方向に上側部突起（５ＵＳＴ）を形成し、
側部（Ｓ）の二方向から見て、前記下部突起部（１３ＴＤ）と前記上側部突起（５ＵＳＴ）の位置が重なる位置を、第三状態として目視で確認することができ、または
前記下部突起部（１３ＴＤ）の側部（Ｓ）の二方向の長さを、前記上側部突起（５ＵＳＴ）の側部（Ｓ）の二方向の長さよりも若干大きく形成して、第三状態の時に、前記下部突起部（１３ＴＤ）の側部（Ｓ）を、前記上側部突起（５ＵＳＴ）の側部（Ｓ）で固定することができる［１］または［３］に記載の接続器具（１´´）を提供する。
【０００９】
［５］本発明は、前記接続アダプタ（１０、１０´）と前記接続カバー（５、５´、５´´）に加えて、混注部材（２０）を有し、
前記混注部材（２０）は、少なくともポート（２１）とチューブ接続部（２２）とを有し、
前記ポート（２１）は、内部に栓体（３０）を収納し、
前記ポート（２１）は、外周に接続部（２１Ｓ）を形成し、
前記接続カバー（５、５´、５´´）の下部（５Ｄ）は、内周に接続部（５Ｓ）を形成し、
前記接続カバー（５、５´、５´´）を前記ポート（２１）に装着できるように形成した［１］から［４］のいずれか１つに記載の接続器具（１、１´、１´´）を提供する。
［６］本発明は、前記混注部材（２０）は、ポート（２１）と本体（２０Ｈ）との間で、側部（Ｓ）の二方向に一対の突起（２１Ｔ）を形成し、
前記接続カバー（５´）は、側部（Ｓ）の二方向に側部開口（５ＯＳ）を形成し、他の側部（Ｓ）の二方向に一対の側壁（５ＳＷ）を有し、
前記一対の側壁（５ＳＷ）の下部（Ｄ）に、一対の溝（５ＭＤ）を形成し、
前記一対の突起（２１Ｔ）を、前記一対の溝（５ＭＤ）に係合することにより
前記接続カバー（５´）を前記ポート（２１）に装着できるように形成した［１］、［２］、［５］のいずれか１つに記載の接続器具（１´）を提供する。
［７］本発明は、接続カバー（５´´）は、側部（Ｓ）の二方向に側壁（５ＳＷ）を有し、当該側壁（５ＳＷ）は、下部（Ｄ）側に混注部材（２０）の係止部（５ＳＷＴ）を形成した［１］、［３］、［５］のいずれか１つに記載の接続器具（１´´）を提供する。
［８］本発明は、接続カバー（５´´）は、側部（Ｓ）の二方向に側壁（５ＳＷ）を有し、当該側壁（５ＳＷ）は、下部（Ｄ）側に混注部材（２０）のチューブ接続部（２２）の上部（Ｕ）に当接する溝（５ＭＤＲ）を形成した［１］、［３］、［５］、［７］のいずれか１つに記載の接続器具（１´´）を提供する。
【発明の効果】
【００１０】
本発明の接続器具（１、１´、１´´）によれば、
［１］接続アダプター（１０、１０´´）と接続カバー（５、５´、５´´）の所定の位置の小面積（領域）に、相互に係合できる所定形状の係止部（１２Ｋ、１２Ｋ´）と係合部（下部突起５ＴＤ、小溝部５ＵＭＤ）を形成している。
接続アダプター（１０、１０´´）を側部Ｓの二方向（第１側部Ｓ１−第２側部Ｓ２側）から他の側部Ｓの二方向（第３側部Ｓ３−第４側部Ｓ４側）へ略９０°回転させて、係合部（下部突起５ＴＤ、小溝部５ＵＭＤ）を、係止部（１２Ｋ、１２Ｋ´）に係合して固定することができる。
［２］［１］により、（１）接続アダプター（１０、１０´´）と混注部材２０の液体流路ＬＰの開閉操作のメリハリ（区別）を明瞭にすることができる。
（２）特許文献２に記載の発明のように、コネクタ〈５〉のロック（固定）を制御する新たな構成部品を設けなくても、液体流路ＬＰの開閉操作を行うことができる。
【図面の簡単な説明】
【００１１】
【図１】図１は、本発明（第一実施形態、以下図２から図２４まで同じ）の接続器具を、上部Ｕ‐第３側部Ｓ３方向から見た分解斜視図である。
【図２】図２は、接続アダプタ１０を、第１側部Ｓ１方向から見た側面図である。
【図３】図３は、接続アダプタ１０を、第１側部Ｓ１−第４側部Ｓ４−下部Ｄ方向から見た斜視図である。
【図４】図４は、接続アダプタ１０を第３側部Ｓ３−下部Ｄ方向から見た斜視図である。
【図５】図５は、図２の一部拡大図である。
【図６】図６は、図２のＡ‐Ａ´（第１側部Ｓ１−第２側部Ｓ２方向）縦断面図で、第３側部Ｓ３（第４側部Ｓ４）方向から見た側面図である。
【図７】図７は、接続カバー５を、第３側部Ｓ３方向（第４側部Ｓ４）から見た側面図である。
【図８】図８は、接続カバー５を、上部Ｕ方向から見た平面図である。
【図９】図９は、図８のＣ‐Ｃ´（第１側部Ｓ１−第２側部Ｓ２方向）断面図で、第３側部Ｓ３（第４側部Ｓ４）方向から見た側面図である。
【図１０】図１０は、図９を第１側部Ｓ１−下部Ｄ方向から見た斜視図である。
【図１１】図１１は、図８のＢ‐Ｂ´（第３側部Ｓ３−第４側部Ｓ４方向）断面図で、第１側部Ｓ１（第２側部Ｓ２）方向から見た側面図である。
【図１２】図１２は、本発明の接続器具の第一状態（接続アダプタ１０を、接続カバー５に装着した状態）を、第３側部Ｓ３方向から見た側面図である。
【図１３】図１３は、本発明の接続器具の第一状態を、第２側部Ｓ２方向から見た側面図である。
【図１４】図１４は、本発明の接続器具の一部（接続アダプタ１０と接続カバー５）の第一状態の一部断面図である。接続アダプタ１０は第１側部Ｓ１（第１側部Ｓ１）方向から見た側面図、接続カバー５は図８のＤ‐Ｄ´断面図である。
【図１５】図１５は、図１４の一部拡大図である。
【図１６】図１６は、本発明の接続器具の一部（接続アダプタ１０と接続カバー５）の中間状態（第一状態から第二状態へ移行する途中の状態）の（第１側部Ｓ１−第２側部Ｓ２方向）断面図である。接続カバー５は図８のＣ‐Ｃ´断面図である。
【図１７】図１７は、本発明の接続器具の第二状態（接続アダプタ１０の末端部１１を、栓体３０を貫通させた状態、末端部１１の開口部１１Ｏが、混注部材２０の本体２０Ｈの液体流路ＬＰ内と連通した状態）を、第３側部Ｓ３方向から見た側面図である。
【図１８】図１８は、本発明の接続器具の第二状態を第２側部Ｓ２方向から見た側面図である。
【図１９】図１９は、本発明の接続器具の一部（接続アダプタ１０と接続カバー５）の第二状態の（第１側部Ｓ１−第２側部Ｓ２方向）断面図で、第３側部Ｓ３（第４側部Ｓ４）方向から見た側面図である。
【図２０】図２０は、本発明の接続器具の第三状態（第二状態からさらに接続アダプタ１０を９０°回転して混合注部材２０に固定した状態）の断面図である。接続アダプタ１０は、第３側部Ｓ３−第４側部Ｓ４方向断面図で、第１側部Ｓ１（第２側部Ｓ２）方向から見た側面図である。接続カバー５及び混注部材２０は、第１側部Ｓ１−第２側部Ｓ２方向断面図で、第３側部Ｓ３（第４側部Ｓ４）方向から見た側面図である。
【図２１】図２１は、本発明の接続器具の第三状態の断面図である。接続アダプタ１０は、第１側部Ｓ１−第２側部Ｓ２方向断面図で、第３側部Ｓ３（第４側部Ｓ４）方向から見た側面図である。接続カバー５及び混注部材２０は、第３側部Ｓ３−第４側部Ｓ４方向断                                                                                                                                                      面図で、第１側部Ｓ１（第２側部Ｓ２）方向から見た側面図である。
【図２２】図２２は、本発明の接続器具の一部（接続アダプタ１０と接続カバー５）の第三状態の断面図である。図２１と同じ。
【図２３】図２３は、本発明の接続器具の一部（接続アダプタ１０と接続カバー５）の第三状態の一部断面図である。接続アダプタ１０は第１側部Ｓ１（第１側部Ｓ１）方向から見た側面図、接続カバー５は図８のＥ−Ｅ´断面図である。
【図２４】図２４は、図２３の一部拡大図である。
【図２５】図２５は、本発明（第二実施形態、以下図２６から図３２も同じ）の接続器具を、上部Ｕ‐第３側部Ｓ３方向−第１側部Ｓ１方向から見た分解斜視図である。
【図２６】図２６は、接続カバー５´を、上部Ｕ‐第１側部Ｓ１方向−第３側部Ｓ３方向から見た斜視図である。
【図２７】図２７は、接続カバー５´の（第３側部Ｓ３方向−第４側部Ｓ４方向）断面図で、第１側部Ｓ１（第２側部Ｓ２）方向から見た側面図である。
【図２８】図２８は、本発明の接続器具の第一状態を、上部Ｕ‐第３側部Ｓ３方向−第１側部Ｓ１方向から見た斜視図である。
【図２９】図２９は、本発明の接続器具の第一状態を、第３側部Ｓ３方向から見た側面図である。
【図３０】図３０は、本発明の接続器具の中間状態の（第１側部Ｓ２方向−第２側部Ｓ２方向）の断面図で、第１側部Ｓ１（第２側部Ｓ２）方向から見た側面図である。
【図３１】図３１は、本発明の接続器具の第二状態を、第３側部Ｓ３方向から見た側面図である。
【図３２】図３２は、本発明の接続器具の第三状態の断面図である。接続アダプタ１０は、第３側部Ｓ３−第４側部Ｓ４方向断面図で、第１側部Ｓ１（第２側部Ｓ２）方向から見た側面図である。接続カバー５及び混注部材２０は、第１側部Ｓ１−第２側部Ｓ２方向断面図で、第３側部Ｓ３（第４側部Ｓ４）方向から見た側面図である。
【図３３】図３３は、本発明（第三実施形態）の接続器具１´´を構成する接続アダプタ１０´を、第１側部Ｓ１方向から見た側面図である。
【図３４】図３４は、接続アダプタ１０´を、第１側部Ｓ１−第４側部Ｓ４−上部Ｕ方向から見た斜視図である。
【図３５】図３５は、本発明の接続器具１´´を構成する接続カバー５´´を、第１側部Ｓ１−第４側部Ｓ４−上部Ｕ方向から見た斜視図である。
【図３６】図３６は、接続カバー５´´の平面と断面図である。（Ａ）は平面図（Ｂ）は（Ａ）のＢ−Ｂ断面図（Ｃ）は（Ａ）のＡ−Ａ断面図
【図３７】図３７は、本発明の接続器具１´´の第一状態を（接続カバー５´´の位置を基準にして）第２側部Ｓ２−第３側部Ｓ３−上部Ｕ方向から見た斜視図である。
【図３８】図３８は、本発明の接続器具１´´の第三状態を（接続カバー５´´の位置を基準にして）第２側部Ｓ２−第３側部Ｓ３−上部Ｕ方向から見た斜視図である。
【発明を実施するための形態】
【００１２】
以下、図面を参照しながら本発明を詳細に説明する。
以下、符号の煩雑化を避けるため、例えば「接続器具１、１´」等とあるのは、単に「接続器具１」等と記載する。「接続器具１」等と記載しても、「接続器具１´」等に共通する部分は、「接続器具１´」も含む。
以下、本発明を明確に説明するため、次の定義をおく。
（定義１）本発明の接続器具１、１´において、「第一状態」（単に、「接続状態」ともいう）とは、例えば図１２〜図１５に示すように、接続アダプタ１０、１０´を、接続カバー５、５´に装着した状態で、接続アダプタ１０の末端部１１が、栓体３０を貫通していない状態を意味する。
【００１３】
（定義２）「第二状態」（「第二接続状態」ともいう）とは、例えば図１７〜図１９に示すように、接続アダプタ１０を、混注部材２０方向に垂下して、接続アダプタ１０の末端部１１を、栓体３０に貫通させた状態、さらにいえば、末端部１１の開口部１１Ｏが、混注部材２０の本体２０Ｈの液体流路ＬＰ内と連通した状態［液体（血液、薬液等）を注入できる状態を意味する。
（定義３）「中間状態（移行状態ともいう）」とは、「第一状態」から「第二状態」へ移行する途中の状態を意味する。
（定義４）「第三状態」（「固定状態」ともいう）とは、第二状態からさらに接続アダプタ１０を略９０°回転して混合注部材２０に固定した状態を意味する。
【００１４】
（定義５）本発明の接続アダプタ１０で、「基端ＰＥ側（または方向という場合がある）」とは、例えば図３に示すように、接続部１３の突起部１３Ｔ側の端部を意味する。
「末端ＤＥ側（または方向という場合がある）」とは、図３に示すように、接続部１３の突起部１３Ｔ側の端部と反対側の端部を意味する。さらにいえば、末端部１１側の端部を意味する。
（定義５）本発明の接続器具１（接続カバー５、接続アダプタ１０及び混注部材２０）で、混注部材２０で、「上部Ｕ側（または方向という場合がある）」とは、例えば図１に示すように、図の上側（接続部１３の突起部１３Ｔ側の端部）を意味する。
「下部Ｄ側（または方向という場合がある）」とは、例えば図１に示すように、混注部材２０の下部（底部）側の端部を意味する。
【００１５】
（定義６）本発明の接続器具１（接続カバー５、接続アダプタ１０及び混注部材２０）で、「第１側部Ｓ１側（または方向という場合がある）」とは、例えば図１に示すように、図の右側の方向（図の破線矢印参照）を意味する。
「第２側部Ｓ２側（または方向という場合がある）」とは、例えば図１に示すように、図の左側の方向（図の破線矢印参照）を意味する。
「第３側部Ｓ３側（または方向という場合がある）」とは、例えば図１に示すように、図の正面側の方向（図の破線矢印参照）を意味する。
「第４側部Ｓ４側（または方向という場合がある）」とは、例えば図１に示すように、図の背面側の方向（図の破線矢印参照）を意味する。
発明の説明の便宜上、図１及び後述するように接続カバー５は、上部５Ｕの一対の上部通路５ＰＵを形成した方向、接続アダプタ１０は、一対の係止部１２Ｋを形成した方向、混注部材２０は、一対のチューブ接続部２２を形成した方向を、第１側部Ｓ１−第２側部Ｓ２と記載した。
また単に側部Ｓ方向とは、前記第１側部Ｓ１から第４側部Ｓ４の全ての方向を含み、側部Ｓの二方向とは、例えば第１側部Ｓ１−第２側部Ｓ２方向、または第３側部Ｓ３−第４側部Ｓ４方向の二方向を意味する。
前記第１〜第４側部Ｓ１〜Ｓ４はあくまでも、説明の便宜上、位置を仮に特定したにすぎない。例えば見る方向を変えて、第１側部Ｓ１を第２側部Ｓ２と見る場合は、第２側部Ｓ２は第１側部Ｓ１となる。第３側部Ｓ３を第４側部Ｓ４と見る場合は、第４側部Ｓ４は第３側部Ｓ３となる。
【００１６】
（定義７）
本発明の接続アダプタ１０で、「長手方向」とは、「接続アダプタ１０」の長尺方向（長い方向）を意味する。
本発明の混注部材２０で、「長手方向」とは、「チューブ接続部２２」の長尺方向を意味する。
本発明の図面及び発明の説明の中で、例えば図３５に例示するように、第１側部Ｓ１側の側壁５ＳＷを「５ＳＷＳ１」、第２側部Ｓ２側の側壁５ＳＷを、「５ＳＷＳ２」と記載した。
なおこれらの側壁５ＳＷ並びにこれら以外の各構成部品の名称で、「第１側部Ｓ１側」等の位置・配置等の方向性を示す符号は、発明の理解ができ、必要と認められる範囲内で、図面及び発明の説明の中で一部のみについて記載した。
【００１７】
［接続器具１、１´、１´´］
本発明（第一実施形態、第二実施形態、第三実施形態）の接続器具１、１´、１´´について、以下、図面を参照しながら説明する。
図１から図２４は、第一実施形態の接続器具１、図２５から図３２は、第二実施形態の接続器具１´、図３３から図３８は第三実施形態の接続器具１´´を例示している。
第二実施形態の接続器具１´と第三実施形態の接続器具１´´が、第一実施形態の接続器具１と主に異なる部材は、接続カバー５´、５´´と接続アダプタ１０´である。
【００１８】
以下、発明の説明、図面において、説明、符号の煩雑化を防ぐために、主として第一実施形態の接続器具１について説明する。第二実施形態の接続器具１´と第三実施形態の接続器具１´´は、第一実施形態の接続器具１と異なる部分（形状・構造）、操作方法のみ説明する。
第二実施形態の接続器具１´と第三実施形態の接続器具１´´は、第一実施形態の接続器具１と異なる部材のみに、「´」等、または異なる符号を記載した。共通する部材の符号はそのままとした。
【００１９】
本発明の第一実施形態の接続器具１は、少なくとも接続カバー５と接続アダプタ１０を有する。さらに加えて混注部材２０とを有する。
第二実施形態の接続器具１´と第三実施形態の接続器具１´´は、少なくとも接続カバー５´と接続アダプタ１０を有する。さらに加えて混注部材２０及びキャップ２１Ｃとを有する。
第一実施形態の接続器具１と第二実施形態の接続器具１´、第三実施形態の接続器具１´´との違いは、以下の通りである。
第一実施形態の接続器具１は、（キャップ２１Ｃのない）混注部材２０の上部Ｕ側に、直接、接続カバー５を装着し、当該接続カバー５に接続アダプター１０を接続するものである。第一実施形態の接続器具１は、接続カバー５、接続アダプタ１０及び混注部材２０の特注品として販売するものである。
【００２０】
これに対して第二実施形態の接続器具１´、第三実施形態の接続器具１´´は、混注部材２０のキャップ２１Ｃを覆うように、接続カバー５´を装着し、当該接続カバー５´に接続アダプター１０を接続するものである。
第二実施形態の接続器具１´、第三実施形態の接続器具１´´中の接続カバー５´、５´´及び接続アダプタ１０、１０´は、通常使用されている汎用品の（キャップ２１Ｃを装着した）混注部材２０とは別部品として、単独で販売されるものである。
【００２１】
[接続アダプタ１０]
接続アダプタ１０は、図２から図３に例示するように、いわゆる「略管状」の形態を有する。
接続アダプタ１０は、上部Ｕから下部Ｄ方向に向けて、径（側部Ｓ方向の長さまたは大きさともいう）が最も大きな接続部１３、中間部１２及び、径が最も小さい末端部１１（針部または鈍針ともいう）を有する。
末端部１１は末端ＤＥ側に、血液、薬液等の液体注入口１１Ｏ（開口ともいう）を有する。
接続アダプタ１０は基端ＰＥ側に、接続部１３を形成している。
接続部１３は基端ＰＥ側に、突起部１３Ｔを形成している。
突起部１３Ｔは、シリンジの接続部（ルアーロック部の螺子状の溝部を意味する。図示せず。）と接続できるように、いわゆる「螺子状」に形成している。
【００２２】
中間部１２は、末端ＤＥ側の側部Ｓの二方向（第１側部Ｓ１側と第２側部Ｓ２側）に、一対の係止部１２Ｋを突設している。
図５、図６に示すように、係止部１２Ｋは、第３側部Ｓ３側（第４側部Ｓ４側）から見て、いわゆる「略くさび状」に形成している。
第１側部Ｓ１側（第２側部Ｓ２側）から見て、いわゆる「略矩形状」に形成している。
係止部１２Ｋは、上部係止部１２ＫＵと下部係止部１２ＫＤを有する。
図５、図６のように、上部係止部１２ＫＵは、第１側部Ｓ１側（第２側部Ｓ２側）と第３側部Ｓ３側（第４側部Ｓ４側）から見て、いわゆる「略矩形状」に形成している。
下部係止部１２ＫＤは、第３側部Ｓ３側（第４側部Ｓ４側）から見て、いわゆる「略三角形状」に形成している。第１側部Ｓ１側（第２側部Ｓ２側）から見て、いわゆる「略矩形状」に形成している。
【００２３】
図２、図５のように、第１側部Ｓ１側（第２側部Ｓ２側）から見て、第３側部Ｓ３−第４側部Ｓ４の長さ（大きさ）は、下部係止部１２ＫＤのほうが、上部係止部１２ＫＵよりも長く（大きく）形成している。
このため係止部１２Ｋの略中間部は図５に示すように、段部１２Ｄとなっている。段部１２Ｄは、後述するように、接続カバー５の上部突起５ＴＵに係合され、抜け防止の機能を有する。
上部係止部１２ＫＵは、上部Ｕ側に溝１２ＫＭを形成している。溝１２ＫＭは、第１側部Ｓ１（第２側部Ｓ２）方向に見て略半円状に形成している。
溝１２ＫＭには、後述するように、接続カバー５の下部突起５ＴＤに係合され、接続アダプタ１０を接続カバー５に固定する機能を有する。
係止部１２Ｋは、接続アダプタ１０の外周全体の一部、さらにいえば中間部１２の外周全体の一部の領域に形成するのみでよい。
【００２４】
[接続カバー５]
接続カバー５は、図７から図１１に示すように、いわゆる「略円筒状」の形態を有し、上部５Ｕと下部５Ｄを有する。
径（側部Ｓ方向の長さまたは大きさ）は、下部５Ｄのほうが、上部５Ｕよりも長く（大きく）形成している。
上部５Ｕは、上部Ｕ側の略中央に上部開口部５ＯＵを有する。
上部５Ｕは、内壁の上部Ｕ側から下部側に亘って、側部Ｓの二方向（第１側部Ｓ１側と第２側部Ｓ２側）に一対の通路（上部通路５ＰＵ）を形成している。
また上部５Ｕは、図１１に示すように内壁の上部Ｕ側（上部通路５ＰＵを形成している箇所を除いて）、いわゆる「略フランジ状または鍔状」の上部突起５ＴＵを形成している。
【００２５】
さらに上部５Ｕは、図９〜１０に示すように内壁の下部側に、側部Ｓの二方向（第１側部Ｓ１側と第２側部Ｓ２側）に一対の係合部として下部突起５ＴＤを形成している。
一対の下部突起５ＴＤは、前記溝１２ＫＭと係合できるように、第３側部Ｓ３側（第４側部Ｓ４側）から見て、いわゆる「略半円状」に形成している。
下部突起５ＴＤと溝１２ＫＭの形態は相互に係合できれば、「略矩形状」、「略三角状」でも良い。
【００２６】
下部突起５ＴＤは、接続カバー５の内周全体の一部の領域に形成するのみでよい。
さらに上部５Ｕは、図１０に示すように内壁の下部側の周囲にわたって、段部５ＵＤを形成している。
下部５Ｄは、内壁の周囲に接続部５Ｓを形成している。
接続部５Ｓは、（混合注部材２０のポート２１の）接続部２１Ｓ（螺子状の溝部）と接続できるように、いわゆる「螺子状」に形成している。
【００２７】
[接続カバー５´]
第二実施形態の接続カバー５´は、第一実施形態の接続カバー５と比較して、次の点で異なっている。
すなわち、図２６に示すように接続カバー５´は、側部Ｓの二方向（第１側部Ｓ１側と第２側部Ｓ２側）に側部開口５ＯＳを形成し、側部Ｓの二方向（第３側部Ｓ３側と第４側部Ｓ４側）に一対の側壁５ＳＷを有する。一対の側壁５ＳＷの下部Ｄ側には、一対の溝５ＭＤを形成している。
【００２８】
［混注部材２０］
例えば混注部材２０は、例えば図１に例示するように、上部Ｕから下部Ｄ方向に向けて、ポート２１、本体２０Ｈ（チューブ接続部２２）及びアダプタ保持部２３を有する。
ポート２１は、外周に接続部２１Ｓを形成している。
接続部２１Ｓは内側に栓体３０（ゴム栓ともいう）を配置する空間を有する。
本体２０Ｈは、第１側部Ｓ１方向と第２側部Ｓ２方向に、チューブ接続部２２を突設している。
【００２９】
ポート２１と本体２０Ｈとの間にフランジ２１Ｆを配置している。
フランジ２１Ｆは、第３側部Ｓ３方向と第４側部Ｓ４方向の下部Ｄに、一対の突起２１Ｔを突設している。
突起２１Ｔは、第二実施形態の接続カバー５´の一対の溝５ＭＤに係止される。第一実施形態の（接続器具１の）フランジ２１Ｆでは、突起２１Ｔは、必ずしも必要ではない。
第一実施形態の接続器具１では、フランジ２１Ｆは、接続カバー５を混注部材２０に装着する際に、接続カバー５の下部５Ｕの下部Ｄ側のストッパーの役割を果たす。
なお第二実施形態の接続器具１´では、第一実施形態の接続器具１のようなストッパーの役割はない。
【００３０】
次に本発明の第一実施形態の接続器具１の操作方法の一例について例示する。
（接続／第一状態）
（１）図１、図１２〜１５に示すように、接続アダプタ１０の末端部１１を、接続カバー５の上部開口５ＯＵから下部Ｄ方向に差し込むことができるように以下のように位置合わせを行う。
（２）接続アダプタ１０の一対の係止部１２Ｋと、接続カバー５の一対の通路５ＰＵの位置をそれぞれ、側部Ｓの二方向（第１側部Ｓ１−第２側部Ｓ２方向）の位置に合わせる。
（３）接続アダプタ１０の末端部１１を、接続カバー５の上部開口５ＯＵから下部Ｄ方向にそのまま垂下する。例えば図１４、図１５に示すように、接続アダプタ１０の係止部１２Ｋは、接続カバー５の通路５ＰＵの上部Ｕ側から差し込まれる。
図１５に示すように、係止部１２Ｋの段部１２Ｄは、接続カバー５の上部通路５ＰＵ近傍の上部突起５ＴＵを下部Ｄ方向に乗り越えて係合される。これらの係合が抜け防止の役割を果たすので、第一状態を維持することができる。
この状態では、接続アダプタ１０と混注部材２０（本体２０Ｈ）の液体流路ＬＰは遮断状態（閉）となっている。
【００３１】
（中間状態から第二状態）
さらに接続アダプタ１０の末端部１１を、下部Ｄ方向に差し込むと、接続アダプタ１０の末端部１１は図１６に示すように、栓体３０（図１参照、図１６では図示せず）の方向に移動する。
さらに接続アダプタ１０の末端部１１を、下部Ｄ方向に押しこむと、接続アダプタ１０の中間部１２の末端ＤＥ側が栓体３０の上部Ｕ側と接触する。
接続アダプタ１０の末端部１１は、これ以上接続カバー５方向に押しこむことはできない。
接続アダプタ１０の末端部１１の薬液注入口１１Ｏは、図１８に示すように混注部材２０のポート２１の中央の液体流路ＬＰ内に到達する。
この状態では、接続アダプタ１０と混注部材２０の液体流路ＬＰは連通状態（開）となっている。
【００３２】
（第二状態から第三状態）
さらに、図２３、図２４に示すように接続アダプタ１０を側部Ｓの二方向（第１側部Ｓ１−第２側部Ｓ２方向）から側部Ｓの二方向（第３側部Ｓ３−第４側部Ｓ４方向）に略９０度回転させる。
略９０度の回転が終了したら、係止部１２Ｋの溝１２ＫＭが、接続カバー５の下部突起５ＴＤに係合される。係合するときに、音をたてて係合するので、作業者は、係合の状況を手の感触で感知することができる。
同時に上部係止部１２ＫＵの上部Ｕ側は、接続カバー５の下部突起５ＴＤ近傍の段部５ＵＤ（図１０参照）に係合される。これらの係合が抜け防止の役割を果たすので、第三状態を維持することができる。
この状態で、接続アダプタ１０の末端部１１の薬液注入口１１Ｏより、混注部材２０の本体２０Ｈの液体流路ＬＰ内に液体（血液、薬液等）を注入することができる。
【００３３】
（第三状態から取り外し）
接続アダプタ１０を側部Ｓの二方向（第３側部Ｓ３−第４側部Ｓ４方向）から側部Ｓの二方向（第１側部Ｓ１−第２側部Ｓ２方向）に略９０度回転させる。回転方向は順方向／時計回りが好ましいが、逆方向／反時計回りでもよい。係止部１２Ｋの溝１２ＫＭと、接続カバー５の下部突起５ＴＤとの係合は解除される。（第二状態に戻る。）
接続アダプタ１０を上部Ｕ方向に引き上げることにより、第一状態を経て、接続アダプタ１０を接続カバー５から取り外すことができる。
【００３４】
次に本発明の第二実施形態の接続器具１´の操作方法の一例について例示する。
（接続／第一状態）
（１）図２５、図２８〜２９に示すように、接続アダプタ１０の末端部１１を、接続カバー５´の上部開口５ＯＵから下部Ｄ方向に差し込むことができるように以下のように位置合わせを行う。
（２）接続アダプタ１０の係止部１２Ｋと接続カバー５´の通路５Ｐの位置を、それぞれ側部Ｓの二方向（第１側部Ｓ１−第２側部Ｓ２方向）の位置に合わせる。
（３）接続アダプタ１０の末端部１１を、接続カバー５´の上部開口５ＯＵから下部Ｄ方向に差し込む。例えば図２８に示すように、接続アダプタ１０の係止部１２Ｋは、接続カバー５´の通路５Ｐの上部Ｕ側に差し込まれる。
（前記図１５と同様に）係止部１２Ｋの段部１２Ｄは、接続カバー５´の上部通路５ＰＵ近傍の上部突起５ＴＵを下部Ｄ方向に乗り越えて係合される。これらの係合が抜け防止の役割を果たすので、第一状態を維持することができる。
この状態では、接続アダプタ１０と混注部材２０の液体流路ＬＰは遮断状態（閉）となっている。
【００３５】
（中間状態から第二状態）
図３０に例示するように、さらに接続アダプタ１０の末端部１１を、下部Ｄ方向に差し込むと、接続アダプタ１０の末端部１１は栓体３０の略中央に形成されているスリット（図示せず）を貫通する。
さらに接続アダプタ１０の末端部１１を、下部Ｄ方向に押しこむと、接続アダプタ１０の中間部１２の末端ＤＥ側が栓体３０の上部Ｕ側と接触する。
接続アダプタ１０の末端部１１は、これ以上接続カバー５方向に押しこむことはできない。
接続アダプタ１０の末端部１１の薬液注入口１１Ｏは、混注部材２０のポート２１
の中央の液体流路ＬＰ内に到達する。
この状態では、接続アダプタ１０と混注部材２０の液体流路ＬＰは連通状態（開）となっている。
【００３６】
（第二状態から第三状態）
さらに、接続アダプタ１０を側部Ｓの二方向（第１側部Ｓ１−第２側部Ｓ２方向）から側部Ｓの二方向（第３側部Ｓ３−第４側部Ｓ４方向）に略９０度回転させる。略９０度の回転が終了したら、係止部１２Ｋの１２ＫＭ溝が、接続カバー５´の下部突起５ＴＤに係合される。係合するときに、音をたてて係合するので、作業者は、係合の状況を手の感触で感知することができる。
同時に上部係止部１２ＫＵは、接続カバー５´の下部突起５ＴＤ近傍の段部５ＵＤ（図１０参照）に係合される。これらの係合が抜け防止の役割を果たすので、第三状態を維持することができる。
この状態で、接続アダプタ１０の末端部１１の薬液注入口１１Ｏより、混注部材２０の本体２０Ｈの液体流路ＬＰ内に液体（血液、薬液等）を注入することができる。
【００３７】
（第三状態から取り外し）
接続アダプタ１０を側部Ｓの二方向（第３側部Ｓ３−第４側部Ｓ４方向）から側部Ｓの二方向（第１側部Ｓ１−第２側部Ｓ２方向）に略９０度回転させる。回転方向は順方向／時計回りが好ましいが、逆方向／反時計回りでもよい。係止部１２Ｋの１２ＫＭ溝と、接続カバー５´の下部突起５ＴＤとの係合は解除される。（第二状態となる。）
接続アダプタ１０を上部Ｕ方向に引き上げることにより、第一状態を経て、接続アダプタ１０を接続カバー５´から取り外すことができる。
【００３８】
［接続器具１´´］（第三実施形態）
図３３から図３８は、本発明（第三実施形態）の接続器具１´´を例示している。
［接続アダプタ１０´］
図３３、図３４は、接続アダプタ１０´を例示している。
中間部１２は、末端ＤＥ側の側部Ｓ（外周）に、鍔部１２Ｔを形成している。
鍔部１２Ｔの径（外径）は、（後述する）接続カバー５´´の上部５Ｕの上部開口５ＯＵの径よりも若干大きく形成している。
これは鍔部１２Ｔが接続カバー５´´の上部開口５ＯＵを通過し、通過後は上部開口５ＯＵの周囲に形成されている上部突起５ＴＵの下部Ｄと係合できるようにするためである。
また末端ＤＥ側の側部Ｓの二方向（第１側部Ｓ１側と第２側部Ｓ２側）に、一対の係止部１２Ｋ´を突設している。係止部１２Ｋ´は、いわゆる突状の形態を有する。
接続部１３は、末端ＤＥ側の側部Ｓの二方向（第１側部Ｓ１側と第２側部Ｓ２側）に下部突起部１３ＴＤを形成している。
係止部１２Ｋ´と下部突起部１３ＴＤは、側部Ｓの実質的に同位置に配置している。
図３３、図３４に示すように、係止部１２Ｋ´と下部突起部１３ＴＤは、第１側部Ｓ１側（第２側部Ｓ２側）から見ても、第３側部Ｓ３側（第４側部Ｓ４側）から見ても、基端ＰＥ（末端ＤＥ）側から見ても、いわゆる「略矩形状」に形成している。
また下部突起部１３ＴＤは、図３４のように斜め方向から見るといわゆる「湾曲した板状」に見える。
係止部１２Ｋ´と下部突起部１３ＴＤの側部Ｓ（縁部）は、共にいわゆる面取り（アール、Ｒ）が施されている。
【００３９】
（接続カバー５´´）
接続カバー５´´は、上部５Ｕの側部Ｓの二方向（第３側部Ｓ３側と第４側部Ｓ４側）に上側部突起５ＵＳＴを形成している。
図３５の例示では、いわゆる「細長い角柱状」に形成している。
これにより接続器具１、１´と同様に、接続アダプタ１０´を接続カバー５´´に装着して、第一状態から第二状態を経て、後述する図３８のように、第三状態にした時（前記段落[００１３]、段落[００３２]、［００３６］参照）、
側部Ｓの二方向（第３側部Ｓ３側と第４側部Ｓ４側）から見て、下部突起部１３ＴＤ（より正確には略中央部）と上側部突起５ＵＳＴの位置が重なるので、第三状態を目視で容易に確認することができる。
また下部突起部１３ＴＤを側部Ｓ方向に大きく形成（突設）して、すなわち、下部突起部１３ＴＤの側部Ｓの二方向（第３側部Ｓ３側と第４側部Ｓ４側）の長さ（第３側部Ｓ３側端部と第４側部Ｓ４側端部間の距離）を上側部突起５ＵＳＴの側部Ｓの二方向（第３側部Ｓ３側と第４側部Ｓ４側）の長さ（第３側部Ｓ３側端部と第４側部Ｓ４側端部間の距離）よりも若干大きく形成して、下部突起部１３ＴＤの側部Ｓ（外周、外側）を、上側部突起５ＵＳＴの側部Ｓ（内周、内側）で固定することができるようにしてもよい。これにより第三状態をさらに安定して維持することができる。
接続カバー５´´は、上部５Ｕは、図３６に示すように内壁の下部Ｄ側に、側部Ｓの二方向（第１側部Ｓ１側と第２側部Ｓ２側）に一対の係合部として小溝部５ＵＭＤを形成している。
一対の小溝部５ＵＭＤは、前記係止部１２Ｋ´と係合できるように、第３側部Ｓ３側（第４側部Ｓ４側）から見て、いわゆる「略矩形状」に形成している。
小溝部５ＵＭＤと係止部１２Ｋ´の形態は相互に係合できれば、「略矩形状」、「略三角状」でも良い。
【００４０】
接続カバー５´´は、側部Ｓの四方向（第１側部Ｓ１側から第４側部Ｓ４側）に側壁５ＳＷ（５ＳＷＳ１、５ＳＷＳ２、５ＳＷＳ３、５ＳＷＳ４）を形成している。
側部Ｓの二方向（第３側部Ｓ３側と第４側部Ｓ４側）には、溝５ＭＤＬを形成した側壁５ＳＷ（５ＳＷＳ３、５ＳＷＳ４）を形成している。
溝５ＭＤＬは、大きくして、側壁５ＳＷ（５ＳＷＳ３、５ＳＷＳ４）の下部Ｄ側に、混注部材２０のフランジ２１Ｆの係止部５ＳＷＴ（５ＳＷＴＳ３、５ＳＷＴＳ４）を形成している。
【００４１】
係止部５ＳＷＴは、いわゆる「略くさび状」に形成している。
これにより混注部材２０に突起部２１Ｔを形成することなく、接続アダプタ１０´を装着した接続カバー５´´を装着することができる。
側壁５ＳＷ（５ＳＷＳ３、５ＳＷＳ４）は溝５ＭＤＬを大きく形成して、混注部材２０に装着するときに、変形して広がり、混注部材２０に装着しやすくしている。
また側部Ｓの二方向（第１側部Ｓ１側と第２側部Ｓ２側）には、混注部材２０のチューブ接続部２２の上部Ｕ（天面）に当接する溝５ＭＤＲを形成した側壁５ＳＷ（５ＳＷＳ１、５ＳＷＳ２）を形成している。溝５ＭＤＲは、側壁５ＳＷ（５ＳＷＳ１、５ＳＷＳ２）の下部Ｄ側に、いわゆる「略半円状」に形成している。
【００４２】
次に本発明の第三実施形態の接続器具１´´の操作方法の一例について例示する。
（接続／第一状態）
（１）接続アダプタ１０´の末端部１１を、接続カバー５´´の上部開口５ＯＵから下部Ｄ方向に差し込むことができるように以下のように位置合わせを行う。
（２）接続アダプタ１０の係止部１２Ｋ´と接続カバー５´´の上部通路５ＰＵの位置を、それぞれ側部Ｓの二方向（第１側部Ｓ１−第２側部Ｓ２方向）の位置に合わせる。
（３）図３７に示すように、接続アダプタ１０´の末端部１１を、接続カバー５´´の上部開口５ＯＵから下部Ｄ方向に差し込む。接続アダプタ１０´の鍔部１２Ｔは、上部突起５ＴＵを乗り越えて、中空間５ＳＰＭ（図９参照）内に入り、係止部１２Ｋ´は、接続カバー５´´の上部通路５ＰＵの上部Ｕ側に差し込まれる。
鍔部１２Ｔの上部Ｕは、上部突起５ＴＵの下部に係合される。
これらの係合が抜け防止の役割を果たすので、第一状態を維持することができる。
この状態では、接続アダプタ１０´と混注部材２０の液体流路ＬＰは遮断状態（閉）となっている。
【００４３】
（中間状態から第二状態）
さらに接続アダプタ１０´の末端部１１を、下部Ｄ方向に差し込むと、接続アダプタ１０´の末端部１１は栓体３０の略中央に形成されているスリット（図示せず）を貫通する。
さらに接続アダプタ１０の´末端部１１を、下部Ｄ方向に押しこむと、接続アダプタ１０´の中間部１２の末端ＤＥ側（鍔部１２Ｔ）が栓体３０の上部Ｕ側と接触する。
接続アダプタ１０´の末端部１１は、これ以上接続カバー５方向に押しこむことはできない。
接続アダプタ１０´の末端部１１の薬液注入口１１Ｏは、混注部材２０のポート２１の中央の液体流路ＬＰ内に到達する。
この状態では、接続アダプタ１０´と混注部材２０の液体流路ＬＰは連通状態（開）となっている。
【００４４】
（第二状態から第三状態）
さらに、接続アダプタ１０´を側部Ｓの二方向（第１側部Ｓ１−第２側部Ｓ２方向）から側部Ｓの二方向（第３側部Ｓ３−第４側部Ｓ４方向）に略９０度回転させる。略９０度の回転が終了したら、係止部１２Ｋ´が、接続カバー５´´の小溝部５ＵＭＤに係合される。（あえて図示しないが、図２４の「係止部１２Ｋ」を「係止部１２Ｋ´」に、「下部突起５ＴＤ」を「小溝部５ＵＭＤ」にそれぞれ置き換えてみると理解しやすい。）係合するときに、音をたてて係合するので、作業者は、係合の状況を手の感触で感知することができる。
これらの係合が抜け防止の役割を果たすので、第三状態を維持することができる。
また側部Ｓの二方向（第３側部Ｓ３側と第４側部Ｓ４側）から見て、下部突起部１３ＴＤ（より正確には略中央部）と上側部突起５ＵＳＴの位置が重なるので、作業者は、第三状態を目視で容易に確認することができる。
この状態で、接続アダプタ１０の末端部１１の薬液注入口１１Ｏより、混注部材２０の本体２０Ｈの液体流路ＬＰ内に液体（血液、薬液等）を注入することができる。
【００４５】
（第三状態から取り外し）
接続アダプタ１０を側部Ｓの二方向（第３側部Ｓ３−第４側部Ｓ４方向）から側部Ｓの二方向（第１側部Ｓ１−第２側部Ｓ２方向）に略９０度回転させる。回転方向は順方向／時計回りが好ましいが、逆方向／時計回りでもよい。係止部１２Ｋ´と、接続カバー５´´の小溝部５ＵＭＤとの係合は解除される。（第二状態となる。）
接続アダプタ１０を上部Ｕ方向に引き上げることにより、第一状態を経て、接続アダプタ１０を接続カバー５´´から取り外すことができる。
【００４６】
本発明の接続器具１、１´、１´´を構成する接続アダプタ１０、１０´、接続カバー５、５´及び混注部材２０の各構成部材（例えば接続アダプタ１０、１０´の係止部１２Ｋ、係止部１２Ｋ´、上部係止部１２ＫＵ、下部係止部１２ＫＤ、溝１２ＫＵ、接続カバー５、５´の下部突起５ＴＤ、段部５ＵＤ、上部突起５ＴＵ、小溝部５ＵＭＤ、上側部突起５ＵＳＴ、下部突起１３ＴＤ等）は、前記したように相互に係止、係合、誘い（支持、ガイド）等が可能な形態（形状、構造）であって、本発明の目的を達成できる形態であれば、前記した説明、図面に記載したものに限定されない。
【００４７】
（材料）
接続アダプタ１０、１０´と、接続カバー５、５´、５´´及び混注部材２０の材料は、ポリプロピレン、ポリカーボネート等、射出成形等により一体成形できる材料であれば何でも使用できる。
【符号の説明】
【００４８】
１  接続器具（第一実施形態）
１´接続器具（第二実施形態）
１´´接続器具（第三実施形態）
５  接続カバー
５´接続カバー
５´´接続カバー
５Ｕ  上部
５ＵＳＴ  上側部突起
５ＵＭＤ  小溝部（係合部）
５ＵＤ段部
５Ｄ  下部
５ＯＵ  上部開口
５ＯＳ  側部開口
５ＰＵ  上部通路
５ＭＤ  溝
５ＭＤＲ  溝
５ＭＤＬ  溝
５ＴＵ  上部突起
５ＴＤ  下部突起（係合部）
５Ｓ  接続部（凹凸、螺子）
５ＳＰＵ上部空間
５ＳＰＭ  中空間
５ＳＰＤ下部空間
５ＳＷ    側壁
５ＳＷＴ  係止部
１０  接続アダプタ
１０´接続アダプタ
１１    末端部   
１１Ｏ  薬液注入口
１２    中間部
１２Ｋ  係止部
１２Ｋ´  係止部
１２ＫＵ  上部係止部
１２ＫＤ  下部係止部
１２ＫＭ  溝
１２Ｄ  段部
１２Ｔ  鍔部
１３    接続部
１３Ｔ  突起部
１３ＴＤ  下部突起部
ＰＥ  基端
ＤＥ  末端
Ｓ１  第１側部
Ｓ２  第２側部
Ｓ３  第３側部
Ｓ４  第４側部
Ｕ    上部
Ｄ    下部
２０    混注部材
２１    ポート
２１Ｈ  （混注部材）本体
２１Ｆ  フランジ
２１Ｃ    キャップ
ＬＰ    液体流路
２１Ｓ  接続部（凹凸、螺子）
２２    チューブ接続部
２１Ｔ  突起
２３    アダプタ保持部
３０    栓体
【図１】
2015157062.tif 000003
【図２】
2015157062.tif 000004
【図３】
2015157062.tif 000005
【図４】
2015157062.tif 000006
【図５】
2015157062.tif 000007
【図６】
2015157062.tif 000008
【図７】
2015157062.tif 000009
【図８】
2015157062.tif 000010
【図９】
2015157062.tif 000011
【図１０】
2015157062.tif 000012
【図１１】
2015157062.tif 000013
【図１２】
2015157062.tif 000014
【図１３】
2015157062.tif 000015
【図１４】
2015157062.tif 000016
【図１５】
2015157062.tif 000017
【図１６】
2015157062.tif 000018
【図１７】
2015157062.tif 000019
【図１８】
2015157062.tif 000020
【図１９】
2015157062.tif 000021
【図２０】
2015157062.tif 000022
【図２１】
2015157062.tif 000023
【図２２】
2015157062.tif 000024
【図２３】
2015157062.tif 000025
【図２４】
2015157062.tif 000026
【図２５】
2015157062.tif 000027
【図２６】
2015157062.tif 000028
【図２７】
2015157062.tif 000029
【図２８】
2015157062.tif 000030
【図２９】
2015157062.tif 000031
【図３０】
2015157062.tif 000032
【図３１】
2015157062.tif 000033
【図３２】
2015157062.tif 000034
【図３３】
2015157062.tif 000035
【図３４】
2015157062.tif 000036
【図３５】
2015157062.tif 000037
【図３６】
2015157062.tif 000038
【図３７】
2015157062.tif 000039
【図３８】
2015157062.tif 000040